(57)【要約】【課題】  ハロゲン原子を含有する化合物のハロゲン原子をスルフォン酸基に置換してより付加価値の高い工業原料を得る方法を提供する。【解決手段】  求核反応性の高い陰イオン硫黄化合物を、極性の大きな高温の水中で反応させることにより置換反応を優先的に進行させるハロゲン化合物の無毒化並びに機能性か方法。【選択図】  なし【特許請求の範囲】
【請求項１】
ハロゲン原子を有する高分子化合物と硫黄化合物とを反応させて硫黄原子に置換した後、酸化反応によってスルフォン酸基にする２段階の製造方法であって、１段階の反応を水溶液中で、１５０℃〜４５０℃の反応温度及び０．５〜１００ＭＰａの反応圧力で行うことを特徴とするスルフォン酸含有化合物の製造方法。
【請求項２】
ハロゲン原子の置換反応で、硫化物塩類またはチオカルボン酸塩類を使用することを特徴とする請求項１  に記載する製造方法。
【請求項３】
ハロゲン原子を硫黄原子で置換した高分子化合物を、過カルボン酸化合物と０℃〜１００℃の反応温度で反応させてスルフォン酸基に変換することを特徴とする請求項１  又は請求項２  に記載する製造方法。
【発明の詳細な説明】
【技術分野】
【０００１】  本発明は、ハロゲン原子含有高分子化合物を硫黄陰イオン化合物存在下で水熱求核置換反応により硫黄原子含有高分子化合物に変換した後、更に、酸化反応によってスルフォン酸基含有高分子化合物を製造する方法に関する。
【従来技術の問題点】
【０００２】  従来、ダイオキシン類や廃塩化ビニル樹脂などの、ハロゲン原子を含有する化合物を原料とする化学変換プロセスは、脱ハロゲン化水素反応によって無害化を目的にするものであり、通常、苛性アルカリ水溶液を用いる水熱分解法が工業的な無害化処理方法（特許文献１，非特許文献１）並びに、ポリオレフィン製造方法（特許文献、２，３）として確立されている。
しかし、これらの苛性アルカリ水熱分解法では、脱ハロゲン化水素反応は完結されるものの、その結果得られた生成物の化学構造並びに物性が明確なものでないために付加価値を生かした生成物の有効利用が困難であった。
【特許文献１】特開平９−８５０７５号公報
【特許文献２】特開２００２−１４８３３５号公報
【特許文献３】特開２００２−２８９２９２号公報
【非特許文献１】環境管理、３３巻（８）、３９（１９９７）
【発明の開示】
【発明が解決しようとする課題】
【０００３】  本発明の目的は、環境破壊物質であるダイオキシン類を排出することなく、ポリ塩化ビフェニル類，ダイオキシン類、及び、廃塩化ビニル樹脂等の有機ハロゲン化合物を無害化すると同時に、スルフォン酸基を有する付加価値の高い工業原料に転換する方法を提供することである。
【問題を解決するための手法】
【０００４】  本発明によれば、ダイオキシン類または、ポリ塩化ビフェニル類では、脱ハロゲン化されて完全無害となると同時に、スルフォン酸基が導入され、ポリ塩化ビニル樹脂のようなハロゲン原子を含有して高分子化合物においては、そのハロゲン原子がスルフォン酸基で置換された高付加価値な化学原料並びに高分子材料が提供される。
【発明の効果】
【０００５】  本発明によれば、環境破壊物質を排出せずに、ポリ塩化ビフェニル類，ダイオキシン類、及び、廃塩化ビニル樹脂等の有機ハロゲン化合物から、より付加価値の高い有用な工業原料の製造法が提供できる。
【発明を実施するための最良の形態】
【０００６】  本発明は、ハロゲン原子含有する高分子化合物を硫黄化合物存在下で水熱求核置換反応により硫黄原子含有化合物に変換した後、更に、酸化反応によってスルフォン酸基含有化合物を製造する方法に関する。【０００７】  原料となるハロゲン含有化合物は、ダイオキシン類やポリ塩化ビフェニル類のような芳香族化合物に限らず、ポリ塩化ビニル樹脂のような飽和炭化水素を骨格とした高分子化合物も使用することが出来る。【０００８】  ここで、「硫黄化合物存在下での水熱求核置換反応」とは、硫黄陰イオン化合物類を反応試薬として、通常水の溶液中、１５０℃〜４５０℃の反応温度及び０．５〜１００ＭＰａの反応圧力で行う反応のことで、反応媒体が高温の水であるために極性が極めて高く、脱ハロゲン化水素反応よりも、硫黄原子による求核置換反応を優先的に進行させることが可能になり、ポリ塩化ビニル樹脂のような高分子化合物に対しては特に有効である。【０００９】  硫黄陰イオン反応試薬としては、硫化ナトリウムや多硫化ナトリウムなどの無機反応試薬も使用できるが、好ましくは、チオ酢酸、チオプロピオン酸、チオ酪酸、チオ安息香酸などのチオカルボン酸類の水溶性のアルカリ及びアルカリ土類金属塩類が使用される。【００１０】  ハロゲン原子を硫黄原子で置換した後の化合物のスルフォン酸基への酸化反応は、過酸化水素及びオゾンなどの酸化剤を使用して行うことが出来るが、好ましくは、蟻酸、酢酸並びにトリフロロ酢酸類のカルボン酸と過酸化水素との混合物を酸化剤として使用し、室温から６０℃の温度で実施される。
【実施例】
【００１１】  以下実施例により本発明を更に詳細に説明するが、本発明は、下記実施例に制限される事はない。
実施例１
容量７．０ｍｌのステンレス製オートクレーブに、ポリ塩化ビニル樹脂の粉末を０．５ｇと５０重量％のチオ酢酸ナトリウム水溶液３．５ｍｌを入れた後、ふたをして溶融塩浴中で２５０℃に昇温し、３０分間加熱し反応させる。反応後、オートクレーブを溶融塩浴から取りだし室温まで冷却後、オートクレーブのふたを開けて生成物を取りだし、水洗した後に、乾燥すると０．６ｇの固形物が得られた。これに３０重量％の過酸化水素水を３．０ｍｌとトリフロロ酢酸３．０ｍｌを加えて、室温で１時間撹拌した後、更に５０℃に昇温して５時間撹拌反応した。反応後、減圧蒸留で揮発分を除去し、アブデルハルデン乾燥器で、真空下、１００℃、１０時間乾燥し、潮解性の固形物０．４ｇを得た。この生成物中のスルフォン酸基の含有量を非水溶液滴定法によって定量分析した結果、塩素原子を基準とした理論量の４１％に相当する置換率であった。他の実施例の結果と表１に示す。【００１２】実施例２
溶融塩浴での昇温温度を２００℃にすることを除いては、実施例１と同様にして反応を行った。得られた生成物中のスルフォン酸基については、実施例１と同様に分析した。結果を表１に示す。【００１３】実施例３
溶融塩浴での昇温温度を３００℃にすることを除いては、実施例１と同様にして反応を行った。得られた生成物中のスルフォン酸基については、実施例１と同様に分析した。結果を表１に示す。【００１４】実施例４
酸化剤として３０重量％の過酸化水素水を３．０ｍｌと蟻酸３．０ｍｌを使用することを除いては、実施例１と同様にして反応を行った。得られた生成物中のスルフォン酸基については、実施例１と同様に分析した。結果を表１に示す。【００１４】実施例５
硫黄陰イオン反応試薬として硫化ナトリウムを使用することを除いては、実施例１と同様にして反応を行った。得られた生成物中のスルフォン酸基については、実施例１と同様に分析した。結果を表１に示す。【００１４】実施例６
容量７．０ｍｌのステンレス製オートクレーブに、ポリ塩化ビフェニル混合物０．５ｍｌと３５重量％の硫化ナトリウム水溶液３．５ｍｌを入れた後、ふたをして溶融塩浴中で３００℃に昇温し、３０分間加熱し反応させる。反応後、オートクレーブを溶融塩浴から取りだし室温まで冷却後、オートクレーブのふたを開けて生成物を取りだし、クロロフォルム１０ｍｌで抽出した溶液中の残存するポリ塩化ビフェニル量をガスクロマトグラフィーで定量分析をおこなった結果、ポリ塩化ビフェニル類の痕跡量さえも確認できなかった。【００１０】
【表１】
2007002205.tif 000002
【産業上の利用可能性】
【００１１】ハロゲン含有化合物、中でも難燃性の廃塩化ビニル樹脂の処理は、大きな社会問題になっている。本発明によって得られるスルフォン化合物は、このような使用済み樹脂のリサイクル化を実現できるのみならず、その耐熱性と陽イオン交換機能を生かした付加価値の高い新規工業材料としての利用が期待できる。